(57)【特許請求の範囲】
【請求項１】
エレベーター構成機器に電源供給を行なう電源制御手段を具えるエレベーターシステムであって、
前記エレベーター構成機器は、
各階床に配置された乗場呼び登録手段と、
非常時に動作する非常用手段と、
かごの運行を行なうエレベーター制御手段であって、前記かごの運行モードを前記かごの運行を行なう通常モードと前記運行を休止する待機モードに切り替えるエレベーター制御手段と、
を含んでおり、
前記電源制御手段は、前記エレベーター制御手段が前記運行モードを前記待機モードに切り替えると、前記乗場呼び登録手段、前記非常用手段及び前記エレベーター制御手段の電源供給を維持し、他のエレベーター構成機器への電源供給を遮断する、
エレベーターシステムにおいて、
前記エレベーター制御手段は、前記かごの運行終了後から新たな呼び登録のない状態が第１所定時間継続し、且つ、前回の待機モードから通常モードに切り替えられた後第２所定時間経過したときに、前記待機モードに切り替える、
エレベーターシステム。
【請求項２】
エレベーター構成機器に電源供給を行なう電源制御手段を具えるエレベーターシステムであって、
前記エレベーター構成機器は、
各階床に配置された乗場呼び登録手段と、
非常時に動作する非常用手段と、
かごの運行を行なうエレベーター制御手段であって、前記かごの運行モードを前記かごの運行を行なう通常モードと前記運行を休止する待機モードに切り替えるエレベーター制御手段と、
を含んでおり、
前記電源制御手段は、前記エレベーター制御手段が前記運行モードを前記待機モードに切り替えると、前記乗場呼び登録手段、前記非常用手段及び前記エレベーター制御手段の電源供給を維持し、他のエレベーター構成機器への電源供給を遮断する、
エレベーターシステムにおいて、
前記他のエレベーター構成機器は、前記かごを昇降させる駆動手段用のインバーターを含んでおり、
前記待機モードは、第１待機モードと第２待機モードを有し、
前記エレベーター制御手段は、かごの運行終了後から新たな呼び登録のない状態が第１所定時間継続したときに前記第１待機モードに切り替え、前回の待機モードから通常モードに切り替えられた後第２所定時間経過したときに第２待機モードに切り替えを行なうものであって、
前記電源制御手段は、運行モードが前記第１待機モードに切り替えられると前記インバーターを除く前記他のエレベーター構成機器への電源供給を遮断し、運行モードが前記第２待機モードに切り替えられるとさらに前記インバーターの電源供給を遮断する、
エレベーターシステム。
【請求項３】
前記かご内に報知を行なう報知手段を具え、
前記エレベーター制御手段が運行モードを前記通常モードから前記待機モードに切り替える前に、前記報知手段は前記かご内に報知を行なう、
請求項１又は請求項２に記載のエレベーターシステム。
【請求項４】
前記エレベーター制御手段は、前記乗場呼び登録手段が乗場呼びを受信すると、運行モードを前記待機モードから前記通常モードに切り替え、前記電源制御手段は、前記他のエレベーター構成機器へ電源供給を行なう、
請求項１乃至請求項３の何れかに記載のエレベーターシステム。
【請求項５】
各階床に配置された乗場呼び登録手段、非常時に動作する非常用手段及びかごの運行を行なうエレベーター制御手段を含む複数のエレベーター構成機器に電源供給を行なってかごを運行するエレベーターシステムの電源制御方法において、
前記かごの運行モードを前記かごの運行を行なう通常モードから前記運行を休止する待機モードに切り替え、前記乗場呼び登録手段、前記非常用手段及び前記エレベーター制御手段に電源供給を行ない、他のエレベーター構成機器への電源供給を遮断する、待機モードステップを有しており、
前記待機モードステップへは、前記かごの運行終了後から新たな呼び登録のない状態が第１所定時間継続し、且つ、前回の待機モードから通常モードに切り替えられた後第２所定時間経過したときに移行する、
エレベーターシステムの電源制御方法。
【請求項６】
各階床に配置された乗場呼び登録手段、非常時に動作する非常用手段、かごの運行を行なうエレベーター制御手段、及び、前記かごを昇降させる駆動手段用のインバーターを含む複数のエレベーター構成機器に電源供給を行なってかごを運行するエレベーターシステムの電源制御方法において、
前記かごの運行モードを前記かごの運行を行なう通常モードから前記運行を休止する待機モードに切り替え、前記乗場呼び登録手段、前記非常用手段及び前記エレベーター制御手段に電源供給を行ない、他のエレベーター構成機器への電源供給を遮断する、第１待機モードステップと第２待機モードステップを有しており、
前記第１待機モードステップへは、かごの運行終了後から新たな呼び登録のない状態が第１所定時間継続したときに切り替えられて、前記インバーターを除く前記他のエレベーター構成機器への電源供給を遮断し、
前記第２待機モードステップへは、前回の待機モードから通常モードに切り替えられた後第２所定時間経過したときに切り替えられて、さらに前記インバーターの電源供給を遮断する、
エレベーターシステムの電源制御方法。
【発明の詳細な説明】
【技術分野】
【０００１】
本発明は、待機電力を削減することのできるエレベーターシステム及びその電源制御方法に関するものである。
【背景技術】
【０００２】
エレベーターシステムにおいて、利用者が少ない閑散状態で必要な機器に対してのみ電源供給を維持し、その他の機器への電源供給を遮断することで待機電力を削減する構成のものが提案されている（例えば、特許文献１参照）。具体的には、閑散状態などにおける待機モードでは、エレベーター制御手段及び呼び登録手段にのみに電源供給を行なっている。
【先行技術文献】
【特許文献】
【０００３】
【特許文献１】特許第５１５８５８４号公報
【発明の開示】
【発明が解決しようとする課題】
【０００４】
待機モードにてエレベーター制御手段及び呼び登録手段に対してのみ電源供給が維持されるエレベーターシステムでは、待機電力の削減を図ってはいるが、利用者の安全を含めた種々の状況を想定して待機モード時の電源供給をより適切に行なっていく必要がある。例えば、電子式Ｓ波地震感知機器を有するエレベーターシステムの場合では、待機モード時に電子式Ｓ波地震感知機器が起動していなければ地震を感知することができない。このため、待機モード中に大きな地震が発生し、その後にかごの運行が復帰すると、地震発生を認識せずにかごを運行させてしまうなどの虞がある。
【０００５】
また、現状、通常モードから待機モードに移行した場合に、かご内に残留している利用者の閉じ込めを完全に防ぐことは難しい。そのため、待機モード時にかご内から連絡する手段が起動していなければ、閉じ込められた利用者の連絡手段がなくなってしまう虞がある。
【０００６】
さらに、非常灯、警報回路、停電時自動着床手段等は、二次電池により駆動するが、待機モードが長時間にわたると二次電池の寿命に影響を与え、不要な放電により充電が不十分となる虞もある。
【０００７】
そこで、本発明は、待機電力を削減しつつ、待機モードにおいて適切な電源供給を行なうことができるエレベーターシステム及びその電源制御方法を提供することを目的とする。
【課題を解決するための手段】
【０００８】
本発明に係るエレベーターシステムは、
エレベーター構成機器に電源供給を行なう電源制御手段を具えるエレベーターシステムであって、
前記エレベーター構成機器は、
各階床に配置された乗場呼び登録手段と、
非常時に動作する非常用手段と、
かごの運行を行なうエレベーター制御手段であって、前記かごの運行モードを前記かごの運行を行なう通常モードと前記運行を休止する待機モードに切り替えるエレベーター制御手段と、
を含んでおり、
前記電源制御手段は、前記エレベーター制御手段が前記運行モードを前記待機モードに切り替えると、前記乗場呼び登録手段、前記非常用手段及び前記エレベーター制御手段の電源供給を維持し、他のエレベーター構成機器への電源供給を遮断する。
【０００９】
前記エレベーター制御手段は、前記かごの運行終了後から新たな呼び登録のない状態が第１所定時間継続し、且つ、前回の待機モードから通常モードに切り替えられた後第２所定時間経過したときに、前記待機モードに切り替えることができる。
【００１０】
前記他のエレベーター構成機器は、前記かごを昇降させる駆動手段用のインバーターを含んでおり、
前記待機モードは、第１待機モードと第２待機モードを有し、
前記エレベーター制御手段は、かごの運行終了後から新たな呼び登録のない状態が第１所定時間継続したときに前記第１待機モードに切り替え、前回の待機モードから通常モードに切り替えられた後第２所定時間経過したときに第２待機モードに切り替えを行なうものであって、
前記電源制御手段は、運行モードが前記第１待機モードに切り替えられると前記インバーターを除く前記他のエレベーター構成機器への電源供給を遮断し、運行モードが前記第２待機モードに切り替えられるとさらに前記インバーターの電源供給を遮断する。
【００１１】
前記かご内に報知を行なう報知手段を具え、
前記エレベーター制御手段が運行モードを前記通常モードから前記待機モードに切り替える前に、前記報知手段は前記かご内に報知を行なう。
【００１２】
前記エレベーター制御手段は、前記乗場呼び登録手段が乗場呼びを受信すると、運行モードを前記待機モードから前記通常モードに切り替え、前記電源制御手段は、前記他のエレベーター構成機器へ電源供給を行なう。
【００１３】
また、本発明に係るエレベーターシステムの電源制御方法は、
各階床に配置された乗場呼び登録手段、非常時に動作する非常用手段及びかごの運行を行なうエレベーター制御手段を含む複数のエレベーター構成機器に電源供給を行なってかごを運行するエレベーターシステムの電源制御方法において、
前記かごの運行モードを前記かごの運行を行なう通常モードから前記運行を休止する待機モードに切り替え、
前記乗場呼び登録手段、前記非常用手段及び前記エレベーター制御手段に電源供給を行ない、他のエレベーター構成機器への電源供給を遮断する。
【発明の効果】
【００１４】
本発明によれば、待機モードに切り替えられると、エレベーター制御手段、乗場呼び登録手段及び非常用手段の電源供給は維持するが、他のエレベーター構成機器への電源供給が遮断される。これにより、待機モードであっても地震等の災害発生時の検知が可能である。従って、待機電力を削減しつつ、待機モードにおいてもより適切な電源供給を行なうことができる。
【００１５】
また、かごの駆動手段の電源供給にインバーターを採用した場合、インバーターの頻繁な電源投入、遮断は充電抵抗等の破損を招くが、インバーターへの電源供給の遮断のタイミングを遅らせることで、その問題を解消できる。
【図面の簡単な説明】
【００１６】
【図１】図１は、本発明の第１実施形態及び第２実施形態に係るエレベーターシステムの概略を示すブロック図である。
【図２】図２は、本発明の第１実施形態に係るモード移行処理を示すフローチャートである。
【図３】図３は、本発明の第２実施形態に係るモード移行処理を示すフローチャートである。
【発明を実施するための形態】
【００１７】
図面を参照して本発明の実施形態に係るエレベーターシステム１０及びその電源制御方法について説明する。
【００１８】
＜第１実施形態＞
図１は、本発明の第１実施形態に係るエレベーターシステム１０の概略を示すブロック図である。なお、図１は、第２実施形態におけるエレベーターシステム１０においても参照される。エレベーターシステム１０は、利用者を目的階となる行先階に案内するべくかご２０の運行を管理及び制御する。また、本実施形態のエレベーターシステム１０は、かご２０の運行モードについて、かご２０の運行を行なう通常モードと、運行を休止する待機モードの切替えを可能としている。待機モードでは、エレベーターシステム１０を構成する所定のエレベーター構成機器に対して商用電源１１からの電源供給を維持するが、その他のエレベーター構成機器に対しては電源供給を遮断するようにしている。なお、図１は主として電源ラインの接続関係を図示しており、通信ラインなどは省略している。
【００１９】
エレベーターシステム１０は、商用電源１１に接続され、かご２０、エレベーター制御手段３２、乗場呼び登録手段３３、乗場インジケーター４２、モーターなどの駆動手段５３、インバーター５２等を具えている。エレベーター制御手段３２は、エレベーターのシャフト上部の機械室などに設けられ、かご２０の運行を統括的に管理する。エレベーター制御手段３２は、ＣＰＵ、メモリ等から構成され、また通信手段も有し、各エレベーター構成機器と有線又は無線で通信可能に接続されている。そして、エレベーター制御手段３２は、たとえば、乗場呼び登録手段３３及びかご呼び登録手段４３等から受信した呼び登録の情報に基づいてかご２０の運行を統括的に管理する。また、所定の条件に基づいて、エレベーターシステム１０の運行モードを通常モードと待機モードに切り替える。さらに、エレベーター制御手段３２は、待機モード時における電源供給の維持及び遮断を制御する電源制御手段の役割もなす。
【００２０】
乗場呼び登録手段３３は、各階床の乗場に設けられ、利用者の乗場呼びの入力を受け付ける。乗場呼び登録手段３３は、入力された乗場呼びの情報をエレベーター制御手段３２に送信する。なお、図１では、１つの乗場呼び登録手段３３のみ図示し、その他は省略している。
【００２１】
乗場インジケーター４２は、たとえば液晶表示手段であり、エレベーター制御手段３２から受信したかご２０の現在位置や運行方向等の運行情報を表示する。
【００２２】
駆動手段５３は、たとえばモーターであって、その駆動によってかご２０を昇降させる。駆動手段５３は、エレベーター制御手段３２によって制御され、インバーター５２を経由して電源が供給される構成を例示できる。
【００２３】
また、エレベーターシステム１０は、その他一般的な構成である、かご２０に配置されたドア制御手段４４、かご呼び登録手段４３、室内インジケーター４５、室内灯４６、空調手段４７、かご内センサー４８、かご２０内の監視カメラ３６なども具えている。
【００２４】
ドア制御手段４４は、かご内センサー４８の情報に基づいてかごドア及びフロアドアの開閉動作を制御する。また、ドア制御手段４４は、ドアの開閉状況をエレベーター制御手段３２に送信する。かご呼び登録手段４３は、かご２０内の利用者から行先階の入力を受け付け、かご呼びをエレベーター制御手段３２に送信する。
【００２５】
室内インジケーター４５は、たとえば液晶表示手段であり、エレベーター制御手段３２から受信したかご２０の現在位置や運行方向、停止階などの情報を表示する。室内灯４６は、運行中、かご２０内を照明する。空調手段４７は、かご２０内の空気を換気するファンやエアコンを含んでいる。かご内センサー４８は、たとえば、かご２０内の荷重を検知する荷重検知センサー、戸開時のドア間の物体を検知する物体検知センサーなどを挙げることができる。各かご内センサーの検知結果は、ドア制御手段４４やエレベーター制御手段３２に送信され、かご２０の運行を制御するために参照される。また、監視カメラ３６は、かご２０内を撮像し、接続されたエレベーター制御手段３２に画像を送信する。送信された画像は、管理室等に送信される。
【００２６】
さらに、エレベーターシステム１０は、エレベーターの異常発生時に機能する、又は災害などの緊急時に機能する非常用手段３５を具えている。エレベーターの異常発生時に機能する非常用手段３５として、図１に示すように、エレベーターシステム１０を外部から監視する遠隔監視手段、かご２０内に配置された停電灯やインターフォン、監視カメラ３６を例示できる。また、災害などの緊急時に機能する非常用手段として、地震管制運転手段、冠水検出手段、停電時のバックアップ電源となる充放電手段１３，３４を例示できる。
【００２７】
また、本発明では、待機モードにおいて、室内灯４６等の電源を遮断する。従って、待機モードへの移行時に、かご２０内に利用者が残っていないことが必要である。このため、待機モードへの移行時に、かご２０からの退避を促す報知手段を具えることが望ましい。報知手段は、たとえば、かご２０内に設置されたスピーカー４９を含む音声出力手段や、室内インジケーター４５を例示できる。報知手段による報知は、たとえば、スピーカー４９から退避を促す音声出力、室内インジケーター４５に退避を促すメッセージ表示、室内灯４６の点滅、かご呼び登録手段４３の点滅、或いはこれらの組合せを挙げることができる。
【００２８】
上記構成のエレベーターシステム１０は、通常モードと待機モードの２つの運行モードを有している。運行モードの切替えは、上述したエレベーター制御手段３２によって行なわれる。なお、通常モードでは、各エレベーター構成機器に電源供給を行なってかご２０を運行するモードであるため、その詳細な説明は省略する。
【００２９】
待機モードは、上記したエレベーター構成機器のうち、最小限のエレベーター構成機器に対してのみ電源供給を行ない、他のエレベーター構成機器への電源供給を遮断して、かご２の運行を休止するモードであって、利用者の少ない夜間などに消費電力を抑えるモードである。但し、利用者が現れた場合には、即座に通常モードに移行してかご２０の運行を再開できるようにしている。待機モード中に電源供給されるエレベーター構成機器(図中括弧付き符号Ａで示す)は、エレベーター制御手段３２、乗場呼び登録手段３３及び非常用手段３５である。その他のエレベーター構成機器(図中括弧付き符号Ｂ、Ｃで示す)には待機モード中、その電源供給が遮断される。
【００３０】
電源供給は、電源制御手段を兼ねるエレベーター制御手段３２が制御する。図１に示すように、本発明のエレベーターシステム１０の電源供給系統は、待機モード中に電源供給されるエレベーター構成機器(Ａ)への第１電源供給系統３０と、その他のエレベーター構成機器(Ｂ)(Ｃ)に電源供給を行なう第２電源供給系統４０及び第３電源供給系統５０を含んでいる。
【００３１】
より詳細には、第１電源供給系統３０は、商用電源１１とブレーカー１２を介して接続される充放電手段１３と、充放電手段１３にＡＣ／ＤＣコンバーター３１を介して接続される乗場呼び登録手段３３、エレベーター制御手段３２、非常用手段３５などのエレベーター構成機器(Ａ)を含んでいる。非常用手段３５は、ＡＣ／ＤＣコンバーター３１との間に充放電手段３４を介在させた２系統の電力供給系統を有している。
【００３２】
また、第２電源供給系統４０は、インバーター５２を除くその他のエレベーター構成機器(Ｂ)に電源を供給する系統であり、充放電手段１３にスイッチング素子４１を介して接続されている。
【００３３】
第３電源供給系統５０は、商用電源１１からスイッチング素子５１を介してインバーター５２に電源を供給する系統であり、エレベーター構成機器(Ｃ)であるインバーター５２からかご２０を昇降させる駆動手段５３に電源が供給される。
【００３４】
上記構成の電源供給系統において、通常モードでは、エレベーター制御手段３２は、スイッチング素子４１，５１は電路を閉じており、すべての電源供給系統３０，４０，５０に電源が供給される。なお、スイッチング素子４１，５１として電磁リレーを挙げることができる。励磁によって電路を開閉する電磁リレーをスイッチング素子４１，５１として採用することにより、停電時や故障時でも電源供給側に制御できる。
【００３５】
そして、エレベーター制御手段３２は、後述する運転モードの移行条件が成立して、運行モードが通常モードから待機モードに移行すると、スイッチング素子４１，５１を遮断する。
【００３６】
スイッチング素子４１が開になることで、インバーター５２以外の第２電源供給系統４０のその他のエレベーター構成機器(Ｂ)、具体的には、乗場インジケーター４２、かご呼び登録手段４３、ドア制御手段４４、室内インジケーター４５、室内灯４６、空調手段４７、かご内センサー４８、スピーカー４９への電源供給が遮断される。
【００３７】
また、スイッチング素子５１が開になることで、エレベーター構成機器(Ｃ)であるインバーター５２への電源供給も遮断される。
【００３８】
なお、スイッチング素子４１，５１の状態に拘わらず、第１電源供給系統３０には電源は供給される。
【００３９】
一方、後述する待機モードから通常モードへの復帰条件が成立すると、エレベーター制御手段３２は、スイッチング素子４１，５１を閉にして、第２電源供給系統４０及び第３電源供給系統５０に電源供給を再開する。これにより、すべてのエレベーター構成機器(Ｂ)(Ｃ)に電源が供給されて、かご２０の運転が可能となる。
【００４０】
運転モードについて、通常モードから待機モードへの移行条件は、かご２０の運行終了後から呼び登録がない状態が第１所定時間継続（例えば５分）した場合であって、且つ、前回の待機モードから通常モードに切り替えられた後、第２所定時間経過（例えば１５分）した場合を例示できる。この場合、新たな呼び登録がない状態とは、乗場呼び登録手段３３からの乗場呼び、かご呼び登録手段４３からのかご呼びの何れもないサービス停止状態を意味する。
【００４１】
一方、待機モードから通常モードへの復帰条件は、利用者によって乗場呼び登録手段３３が操作されること、すなわち、エレベーター制御手段３２が乗場呼び登録手段３３から呼びが登録されたことを挙げることができる（以下「第１復帰条件」と称する）。
【００４２】
また、復帰条件として、管制運転信号がエレベーター制御手段３２に入力されることを含むことができる（以下「第２復帰条件」と称する）。管制運転信号は、火災、地震などの災害時に外部の管制室からエレベーター制御手段３２に入力される信号であって、管制運転信号を受信すると、エレベーター制御手段３２は、かご２０の運転を再開するが、通常モードに含まれる火災時管制運転、地震時管制運転が行なわれる。
【００４３】
その他、待機モードから通常モードへの復帰条件は、上記第１復帰条件、第２復帰条件に限定されるものではない。たとえば、復帰条件は、管制室からの復帰指令をエレベーター制御手段３２が受信した場合としてもよい。具体的には、かご２０内のインターフォン（図１では非常用手段３５の中に示している）を利用者が操作する。これにより、インターフォンから管制室に非常呼びが発報される。そして、管制室からの遠隔操作でエレベーター制御手段３２に通常モードへの復帰指令を送信する。なお、この場合、発報を受けた管理人が乗場呼び登録手段３３を操作して通常モードに復帰させるようにしてもよい。
【００４４】
次に、上述した通常モード及び待機モードの移行処理について図２を参照しつつ詳述する。図２は、本発明の第１実施形態に係るモード移行処理を示すフローチャートである。この処理は、エレベーターシステム１０を起動させた後から起動停止するまでの間、エレベーター制御手段３２によって実行される。なお、本実施形態では、エレベーターシステム１０の起動時、初期設定は通常モードとしている。以下、通常モードが初期設定された状態からのモード移行について説明する。
【００４５】
エレベーター制御手段３２は、最初に、上記した移行条件（かご２０の運行終了後から呼び登録がない状態が第１所定時間継続した場合であって、且つ、前回の待機モードから通常モードに切り替えられた後、第２所定時間経過した場合）が成立したか否かを判断し（ステップＳ１０）、移行条件が成立するまで（ステップＳ１０：ＹＥＳ）、通常モードを維持する。
【００４６】
移行条件が成立すると（ステップＳ１０：ＹＥＳ）、エレベーター制御手段３２は、待機モードに移行する前に報知手段によってかご２０内の利用者への報知を行なう（ステップＳ１１）。
【００４７】
そして、エレベーター制御手段３２は、スイッチング素子４１，５１を開にする（ステップＳ１２）。これにより、エレベーター制御手段３２、乗場呼び登録手段３３及び非常用手段３５以外のその他のエレベーター構成機器(Ｂ)(Ｃ)の電源供給が遮断され、待機モードに移行する（ステップＳ１３）。
【００４８】
上記のように、エレベーター制御手段３２、乗場呼び登録手段３３及び非常用手段３５以外のその他のエレベーター構成機器(Ｂ)(Ｃ)への電源供給が遮断されることで、待機電力の削減が達成される。
【００４９】
待機モード中、エレベーター制御手段３２は、通常モードへの復帰条件が成立するまで待機モードを継続する（ステップＳ１４のＮＯ及びステップＳ１５のＮＯ）。
【００５０】
たとえば、ステップＳ１４において、第２復帰条件である管制運転信号がエレベーター制御手段３２に入力されると（ステップＳ１４のＹＥＳ）、エレベーター制御手段３２は、スイッチング素子４１，５１を閉にする（ステップＳ１６）。これにより、電源供給の遮断されていたその他のエレベーター構成機器(Ｂ)(Ｃ)への電源供給が再開される（ステップＳ１７）。そして、エレベーター制御手段３２は、管制運転を開始する（ステップＳ１８）なお、管制運転は、上述したように火災時管制運転、地震時管制運転などであり、受信した管制運転信号に応じた運行が実行される。管制運転が終了すると（ステップＳ１９：ＹＥＳ）、エレベーター制御手段３２は、通常モードでのかご２０の運行を再開し、ステップＳ１０の処理に戻る。管制運転の終了は、例えば、外部の管制室から管制運転終了の受信をした場合である。
【００５１】
また、ステップＳ１５において、第１復帰条件である乗場呼び登録手段３３が操作され、エレベーター制御手段３２が乗場呼び登録手段３３から呼びが登録されると（ステップＳ１５のＹＥＳ）、エレベーター制御手段３２は、スイッチング素子４１，５１を閉にする（ステップＳ２０）。これにより、電源供給の遮断されていたその他のエレベーター構成機器(Ｂ)(Ｃ)への電源供給が再開される（ステップＳ２１）。そして、エレベーター制御手段３２は、通常モードでの運行を開始する（ステップＳ２２）
【００５２】
以上のように、待機モード中、エレベーター制御手段３２、乗場呼び登録手段３３及び非常用手段３５の電源供給が維持され、他の構成機器への電源供給が遮断される。これにより、待機モード時であっても地震等の災害発生時の検知が可能である。従って、待機電力を削減しつつ、待機モードにおいてもより適切な電源供給を行なうことができる。
【００５３】
なお、上述の実施形態では、ステップＳ１１の処理においてかご２０内の利用者に対して報知が行なわれるが、かご２０内の利用者の有無を荷重検知センサーやカメラ３６による画像認識等によって判断するようにしてもよい。
【００５４】
また、上述の実施形態では、待機モード中、エレベーター制御手段３２、乗場呼び登録手段３３及び非常用手段３５について電源供給が維持されているが、少なくともこれらのエレベーター構成機器の機能が維持されていれば、他のエレベーター構成機器(Ｂ)については選択的に電源供給を維持するようにしてもよい。例えば、乗場インジケーター４２についても電源供給を維持するようにして、ステップＳ１３の処理において、乗場インジケーター４２に待機モードであることの表示ができる。具体的には、待機モードである旨のテキストメッセージを表示させる。これにより、エレベーターの利用者が、運行サービスが停止中であると誤解することを防止できる。
【００５５】
また、例えば、かご呼び登録手段４３についても電源供給を維持するようにしてもよい。そして、通常モードへの復帰条件として、かご呼び登録手段４３への操作を含め、かご２０への利用者の閉じ込めを防止しても構わない。
【００５６】
＜第２実施形態＞
上記実施形態では、スイッチング素子４１，５１を同時に制御し、インバーター５２を含むその他のエレベーター構成機器(Ｂ)(Ｃ)の電源供給を一斉に遮断するようにしているが、本実施形態では、待機モードを２種類とし、インバーター５２を除くその他のエレベーター構成機器(Ｂ)の第２電源供給系統４０と、インバーター５２が含まれるエレベーター構成機器(Ｃ)の第３電源供給系統５０の電源供給の遮断タイミングを変えるようにしている。その理由として、インバーター５２への頻繁な電源投入、遮断は、充電抵抗等の破損を招くためである。なお、第１実施形態と同じ構成、動作については、その説明を適宜省略する。
【００５７】
本実施形態の待機モードは、第１待機モードと第２待機モードの２種類を有する。そして、各待機モードで電源供給が遮断されるエレベーター構成機器(Ｂ)(Ｃ)が異なる。
【００５８】
具体的には、第１待機モードでは、第２電源供給系統４０の電源供給を遮断する。すなわち、エレベーター制御手段３２は、スイッチング素子４１のみを開として、電源供給が遮断されるその他のエレベーター構成機器(Ｂ)(Ｃ)のうち、インバーター５２を除くその他のエレベーター構成機器(Ｂ)の電源供給を遮断する。
【００５９】
また、第２待機モードでは、第３電源供給系統５０の電源供給を遮断する。すなわち、エレベーター制御手段３２は、残るスイッチング素子５１を開として、インバーター５２の電源供給を遮断する。第１待機モードと第２待機モードが実行された状態では、結果的に、第１実施形態と同様の第２電源供給系統(Ｂ)及び第３電源供給系統(Ｃ)の電源供給が遮断状態になる。
【００６０】
第１待機モードへの移行条件は、かご２０の運行終了後から呼び登録がない状態が第１所定時間継続（例えば５分）した場合とすることができる（以下「第１移行条件」と称する）。
【００６１】
また、第２待機モードへの移行条件は、前回の待機モードから通常モードに切り替えられた後、第２所定時間経過（例えば１５分）した場合を例示できる。第２所定時間は、上記第１所定時間よりも長く設定される。これにより、インバーター５２は電源供給が遮断されてから、次に電源供給が遮断されるまでの間を、第２所定時間以上とすることができるから、インバーター５２の頻繁な電源投入、遮断を阻止できる。
【００６２】
このように待機モードにおけるインバーター５２の遮断と、インバーター５２を除くその他のエレベーター構成機器(Ｂ)(Ｃ)の遮断とを別々に行なうことで、インバーター５２を除くその他のエレベーター構成機器(Ｂ)については早期に待機電力の削減を図ることができる。
【００６３】
図３は、本発明の第２実施形態に係るモード実行処理を示すフローチャートである。なお、第１実施形態(図２)と同じステップについては、そのステップを引用し、適宜説明を省略する。
【００６４】
エレベーター制御手段３２は、最初に、第１移行条件（かご２０の運行終了後から呼び登録がない状態が第１所定時間継続）が成立したか否かを判断し（ステップＳ３０）、第１移行条件が成立するまで（ステップＳ３０：ＹＥＳ）、通常モードを維持する。
【００６５】
第１移行条件が成立した場合（ステップＳ３０のＹＥＳ）、エレベーター制御手段３２は、第１待機モードに移行する前に、第１実施形態のステップＳ１１と同様に、かご２０内の利用者への報知を行なう（ステップＳ３１）。
【００６６】
そして、エレベーター制御手段３２は、第２電源供給系統４０のスイッチング素子４１を開にする（ステップＳ３２）。これにより、エレベーター制御手段３２、乗場呼び登録手段３３、非常用手段３５及びインバーター５２以外のその他のエレベーター構成機器(Ｂ)の電源供給が遮断され、第１待機モードに移行する（ステップＳ３３）。
【００６７】
次に、エレベーター制御手段３２は、第２待機モードへの第２移行条件（前回の待機モードから通常モードに切り替えられた後、第２所定時間経過）の成立を待つ。具体的には、エレベーター制御手段３２は、実行されているモードが第１待機モードのみであるか否かを判断し（ステップＳ３４）、第１待機モードだけの場合（ステップＳ３４のＹＥＳ）、エレベーター制御手段３２は、第２移行条件が成立したか否かを判断する（ステップＳ３５）。第２移行条件が成立した場合（ステップＳ３６：ＹＥＳ）、エレベーター制御手段３２は、第３電源供給系統５０のスイッチング素子５１を開にする（ステップＳ３６）。これにより、第２待機モードも開始され、インバーター５２を含むその他のエレベーター構成機器(Ｂ)(Ｃ)のすべての電源供給が遮断される（ステップＳ３７）。この状態は、第１実施形態のステップＳ１５のＹＥＳと同じ状態となる。
【００６８】
一方、ステップＳ３４において、第１待機モードだけでなく第２待機モードも成立している場合（ステップＳ３４のＮＯ）、又は、第２移行条件が成立していない場合（ステップＳ３５のＮＯ）、ステップＳ３９の処理に移行する。そして、第１待機モード中、または、第１待機モードと第２待機モード中に、第１復帰条件又は第２復帰条件が成立すると（ステップＳ３８のＹＥＳ：第１実施形態のステップＳ１４のＹＥＳ又はステップＳ３９のＹＥＳ：第１実施形態のステップＳ１５のＹＥＳ）、夫々の復帰条件に応じた運転モードに移行する（ステップＳ４０〜Ｓ４６：第１実施形態のステップＳ１６〜ステップＳ２２）。
【００６９】
本実施形態によれば、インバーター５２が待機モードに入るタイミングを遅らすことで、インバーター５２の頻繁な電源投入、遮断を阻止できる一方、インバーター５２を除くその他のエレベーター構成機器(Ｂ)については、早期の電源供給の遮断を行なうことができ、待機電力の効果的な削減を図ることができる。
【００７０】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【符号の説明】
【００７１】
１０  エレベーターシステム
２０  かご
３０  第１電源供給系統
３２  エレベーター制御手段（エレベーター構成機器Ａ）
３３  乗場呼び登録手段（エレベーター構成機器Ａ）
３５  非常用手段（エレベーター構成機器Ａ）
４０  第２電源供給系統
４１  スイッチング素子
４３  かご呼び登録手段（エレベーター構成機器Ｂ）
４４  ドア制御手段（エレベーター構成機器Ｂ）
５０  第３電源供給系統
５１  スイッチング素子
５２  インバーター（エレベーター構成機器Ｃ）
【図１】
0006620666.tif 000002
【図２】
0006620666.tif 000003
【図３】
0006620666.tif 000004